(57)【要約】【課題】近傍に基盤やリード線を設けることが困難な場所においても設置可能な発光する装飾ユニットを提供する。【解決手段】特別入賞口６ｄの正面側に、遊技球の通過空間５６を介して、板状の発光部５２が配置される。発光部５２の両端には支持部５１ａ、５１ｂが設けられ、内部に発光ダイオード５４ａ、５４ｂが収容される。発光部５２と支持部５１ａ、５１ｂとは透明材料で一体形成され、支持部５１ａ、５１ｂの外側に設けられた被覆材５３ａ、５３ｂによって、発光ダイオード５４ａ、５４ｂの光は、発光部５２へ導かれ、発光部５２が発光させられる。特別入賞口６ｄは、左右の支持部５１ａ、５１ｂと発光部５２からの光によって、装飾される。【選択図】  図５
2008229147.tif 000002
【特許請求の範囲】
【請求項１】
弾球遊技機の遊技盤面との間に遊技球が通過し得る通過空間を挟んで、遊技盤面上に設けられ、透光可能な材料で構成された板状の発光部と、
前記発光部の端部において、前記遊技盤面と前記発光部の間に位置し、前記発光部を遊技盤面上に支持する支持部と、
前記支持部内に設けられた光源と、
前記支持部の外側面を覆い、光源からの光を反射して、前記発光部へ光を導く反射部とを有することを特徴とする装飾ユニット。
【請求項２】
前記支持部は、前記発光部と同一材料により一体形成され、かつ中実に構成されている請求項１に記載の装飾ユニット。
【請求項３】
前記発光部には光りを拡散させる拡散剤が混合されている請求項１又は２に記載の装飾ユニット。
【請求項４】
前記発光部は、表面に形成された凹凸によって構成された装飾部を有している請求項１〜３のいずれか１に記載の装飾ユニット。
【請求項５】
さらに、揺動可能に支持された開閉部材が、遊技盤面に突出し入賞口を開放する開放状態と、
開閉部材が入賞口を閉鎖する閉鎖状態との間で揺動し、開放状態では開閉部材上に落球した遊技球を入賞口へ導く開閉式通過口ユニットを有し、
入賞口が発光部に対向する遊技盤面に位置している請求項１〜４のいずれか１に記載の装飾ユニット。
【発明の詳細な説明】
【技術分野】
【０００１】
本発明は、装飾ユニットに係り、詳しくは、光源と発光部とを別に有する装飾ユニットに関するものである。
【背景技術】
【０００２】
周知のように、パチンコ遊技においては、遊技機に装備されている遊技盤面の遊技領域に設けられている各種入賞口にパチンコ球が入賞すると、その入賞口に設定されている所定数の賞球が払出されるようになっている。また、近年の遊技機には、演出や報知を目的とする発光装置や音響装置が各部に配設されており、所定のタイミングで視覚や聴覚に訴える演出が行われる。  
ここで、視覚に訴える演出には、発光ダイオードを用いた演出装置や液晶表示装置等が用いられる。これらの装置は、電気的に駆動する構成となっているため、光源となる素子は、配線基盤等に設けられており、遊技機内に配設する際には、基盤やリード線等と一体として配置されることとなる。  
従って、このため、発光素子を設けることのできる場所は、視認できない場所に基盤やリード線を設けることができる位置に限られ、たとえば特許文献１に示されているように、普通電動役物の内部や、特許文献２に示されているように、大入賞口の内部にＬＥＤを設けるといった手法がとられている。
【特許文献１】特開２００３−１１７０８９号
【特許文献２】特開２００３−１９２９６号
【発明の開示】
【発明が解決しようとする課題】
【０００３】
しかし、上記従来の手法では、背面側に遊技球が通過する装飾部材や、ゲートの側面などには、リード線や基盤を隠す場所がなく、発光する素子を直接設けることはできないため、これらの部分を報知部や演出部材として使用することができないといった問題があった。  
この発明の目的は、近傍に基盤やリード線を設けることが困難な場所においても設置可能な発光する装飾ユニットを提供することにある。
【課題を解決するための手段】
【０００４】
以上のような問題を解決する本発明は、以下のような構成を有する。  
（１）  弾球遊技機の遊技盤面との間に遊技球が通過し得る通過空間を挟んで、遊技盤面上に設けられ、透光可能な材料で構成された板状の発光部と、
前記発光部の端部において、前記遊技盤面と前記発光部の間に位置し、前記発光部を遊技盤面上に支持する支持部と、
前記支持部内に設けられた光源と、
前記支持部の外側面を覆い、光源からの光を反射して、前記発光部へ光を導く反射部とを有することを特徴とする装飾ユニット。
【０００５】
（２）  前記支持部は、前記発光部と同一材料により一体形成され、かつ中実に構成されている上記（１）に記載の装飾ユニット。
【０００６】
（３）  前記発光部には光りを拡散させる拡散剤が混合されている上記（１）又は（２）に記載の装飾ユニット。
【０００７】
（４）  前記発光部は、表面に形成された凹凸によって構成された装飾部を有している上記（１）〜（３）のいずれか１に記載の装飾ユニット。
【０００８】
（５）  さらに、揺動可能に支持された開閉部材が、遊技盤面に突出し入賞口を開放する開放状態と、
開閉部材が入賞口を閉鎖する閉鎖状態との間で揺動し、開放状態では開閉部材上に落球した遊技球を入賞口へ導く開閉式入賞口ユニットを有し、
入賞口が発光部に対向する遊技盤面に位置している上記（１）〜（４）のいずれか１に記載の装飾ユニット。
【発明の効果】
【０００９】
請求項１に記載の発明によれば、光源からの光は、反射部によって反射し、支持部内から発光部へ導かれ、板状の発光部が導かれた光によって発光する構成となっており、遊技盤面との間に遊技球の通過空間を確保しつつ、発光する装飾片を遊技領域内に配置させることが可能となる。  
請求項２に記載の発明によれば、支持部を発光部と同一材料により一体形成され、かつ中実に構成されているので、発光部と支持部の光伝導媒体が同じとなり、光源からの光を効率よく発光部へ導くことができる。
【００１０】
請求項３に記載の発明によれば、発光部が拡散剤を含むことで、導かれた光を発光部内で拡散させ、発光部表面の発光状態を均一な状態に近づけることができる。  
請求項４に記載の発明によれば、発光部の表面に凹凸を形成することにより、凹凸により形成される装飾部の装飾を、発光部に導かれた光によって、より鮮明に浮き立たせることができる。
【００１１】
請求項５に記載の発明によれば、開閉部材が設けられた入賞口を、発光部からの光によって照らし、より鮮明に浮き立たせることができ、かつ、発光部を介して入賞口の開閉や、入賞口への遊技球の落入を視認することができる。これにより、発光する発光部を介して入賞口や遊技球を視認することとなり、光源からの光による演出効果をさらに効果的に発揮させることができる。
【発明を実施するための最良の形態】
【００１２】
図１は、本実施形態における遊技機を示す図である。以下、本明細書において、遊技機の遊技者が配置される側を正面、前面又は前側として表現し、遊技者の配置位置に対して反対側を背面、後面又は後側とし、図１に示されているような正面視において、左右方向をＹ軸方向、前後方向をＸ軸方向、鉛直方向をＺ軸方向と定義し、右方向をＹ軸方向の正方向、前側から後側へ向かう方向をＸ軸方向の正方向、鉛直下方へ向かう方向をＺ軸の正方向と定義する。
【００１３】
図１において弾球遊技機１００は、外郭方形枠サイズに形成されて縦長の固定保持枠を構成する外枠１の開口前面に、外枠１に合わせて方形枠サイズに形成された開閉搭載用の前枠２を備えている。  
前枠２は、外枠１の正面左側上下に取り付けられたヒンジ金具３Ａ、３Ｂにより外枠１に対して開閉可能に取り付けられ、さらに、外枠１の正面右側に設けられた施錠装置１２によって閉鎖状態に保持されるようになっている。
【００１４】
前枠２の上部領域には、遊技盤３が配置されており、遊技盤３は、所定板厚の積層合板の裏側にセルを貼り付けてルーター（役物取り付け孔）加工した化粧板を基板とし、その前面側には図示しないが、環状に取り付けられたガイドレールに囲まれて画成された円形状の遊技領域６が設けられている。  
遊技領域６には、略中央部に表示装置として図柄変動表示装置６ｊが設置される窓部で構成された表示部６ａが設けられている。表示部６ａの周りには装飾部材６Ｂや、始動入賞口６ｃ、および特別入賞口６ｄ、その他入賞口６ｋ、６ｍ、６ｎなどがそれぞれ配置されている。遊技領域下部にはアウト球を回収するアウト口６ｅも設けられており、始動入賞口６ｃや特別入賞口６ｄに入賞せずに落下したアウト球を遊技盤３の背面側から機外に排出できるようになっている。
【００１５】
また、前枠２の前面上部側には、遊技盤３を視認できるように透明なガラス盤を備えたガラス枠７０が水平方向に開閉可能かつ着脱可能に設けられ、通常は、施錠装置１２により閉鎖状態に保持されて遊技盤３の前面を覆っている。  
前枠２の前面下部側でガラス枠７０の下方には、皿ユニット７０１が、前枠２に開閉支持されている背面板（図示されず）に取り付けられて設けてある。皿ユニット７０１は、図示しない施錠装置により通常、閉鎖状態に保持されている。皿ユニット７０１は、球受け皿を構成している球貯留部７０１ａと、球貯留部７０１ａの正面左側下部に設けられた灰皿７０１ｂと、球貯留部７０１ａの正面右側下部に設けられた発射ハンドル７０１ｃと、操作装置としてのボタン７０１ｄとを有している。
【００１６】
次に特別入賞口６ｄと、特別入賞口６ｄに付設された装飾ユニットについて詳説する。図２は、特別入賞口６ｄの開閉機構を備えた入賞口ユニット４と、装飾ユニット５とを示す全体斜視図、図３は同じく平面図、図４は、同じく正面図である。  
特別入賞口６ｄは、遊技盤３の盤面に固定される台板４０に形成された通過口４２と、通過口４２の下端辺側に揺動自在に支持された開閉部材４３とを備え、開閉部材４３を開閉駆動させる駆動装置を内蔵した筐体４１が背面側に設けられている。
【００１７】
開閉部材４３は、前側に倒れて遊技盤面上に突出し、通過口４２を開放した開放状態と、遊技盤面に平行な姿勢となり通過口４２を閉鎖する閉鎖状態との間で揺動する。開閉部材４３の揺動は、駆動装置４１内に設けられたソレノイドによって行われる。  
開閉部材４３の開放状態では、開閉部材４３上に遊技球が落下すると、開閉部材４３によって通過口４２内へ遊技球が導かれ、筐体４１内に設けられた特別入賞口センサ６ｄｓによって、入賞が検出される。  
台板４０の両端には、普通図柄変動表示装置２６４ｄと、特別図柄表示装置４０１が設けられている。また、台板４０の下縁には、アウト口６ｅが重なる切欠４０２が形成されている。
【００１８】
図５は、装飾ユニット５の分解斜視図である。特別入賞口６ｄの正面側には、装飾ユニット５が設けられている。装飾ユニット５は、特別入賞口６ｄの両端外側に設けられた一対の支持部５１ａ、５１ｂと、支持部５１ａ、５１ｂの間に架設された発光部５２と、支持部５１ａ、５１ｂの外側に覆い被せられる被覆材５３ａ、５３ｂと、光源としての発光ダイオード５４ａ、５４ｂとを備えている。一対の支持部５１ａ、５１ｂと発光部５２とは、同一の材料で一体形成されており、構成材料は光を透過し得る材料であり、透明又は半透明の材料であることが好ましい。構成材料としては、例えば、ポリカーボネート、アクリル、ポリアミド等の樹脂、又は強化ガラス等が挙げられる。一体形成された支持部５１ａ、５１ｂと発光部５２は、一体として、光を導き、発光する導光部材を構成する。
【００１９】
図６は支持部５１ｂの断面平面図である。支持部５１ａ、５１ｂの基端は、台板４０に、台板４０を背面側から挿通するネジ５５ａ、５５ｂによって、それぞれ固定されている。  
発光ダイオード５４ａ、５４ｂは、台板４０の背面側から挿入固定され、発光部分は台板４０の正面側に露出しており、発光ダイオード５４ａ、５４ｂの駆動電力は、台板４０の背面側に設けられた電子基盤により供給される。
【００２０】
また、支持部５１ａ、５１ｂが台板４０に固定された状態で、支持部５１ａ、５１ｂ内に収容されている。図６に示されているように、支持部５１ｂの基端面には、発光ダイオード５４ａ、５４ｂを収容する収容部５１２ｂが形成されている。なお、支持部５１ａについては、発光部５２の正中線を中心に、支持部５１ｂと線対称形状で、かつ線対称位置に同じ構成が配置されているので、図示は省略する。発光ダイオード５４ａ、５４ｂは、発色の変更が可能なものでも、単色のものでもよい。また、光源としては、発光ダイオードに限られるものではなく、電球、ＥＬ（electroluminescence）等であってもよい。
【００２１】
支持部５１ａ、５１ｂを覆う被覆材５３ａ、５３ｂは、内側が反射面５３１ｂとなっており、発光ダイオード５４ｂからの光を反射し、発光部５２へ導くように構成されている。反射面５３１ｂは、例えば、明度の高い色（白色に近い色）あるいは、鏡面であると、発光部５２へ導光される光の量が多くなるので好ましく、白色あると特に好ましい。この反射面５３１ｂは、傾斜しており、遊技盤面に対して垂直な線に対する傾斜角度αは、４０度〜５０度、より好ましくは４４〜４６度であるとよい。反射面を傾斜させることによって、発光部５２へ導かれる光の量がより増加する。
【００２２】
また、支持部５１ａと支持部５１ｂとの対向する対向面５１１ｂからも、発光ダイオード５４ｂの光が漏れる構成となっており、特別入賞口６ｄを左右両側から照らすことができる構成となっている。これにより、左右の支持部５１ａ、５１ｂと発光部５２の３方向から特別入賞口６ｄを照らすことができる。なお、対向面５１１ｂに被覆材を設けてもよい。この場合には、発光部５２の明るさを増加させることができる。
【００２３】
支持部５１ａ、５１ｂの間に位置する発光部５２は、板状に形成されており、両端から光が導入される。発光部５２と支持部５１ａ、５１ｂは、同一材料で構成されているので、光が効率よく伝わる。発光部５２の上下端面には、面取りが施され、傾斜面５２１が形成されている。光が導かれた発光部５２は、端面が最も良く光るため、端面を傾斜面５２１とすることによって、発光部５２の正面側に位置する遊技者にたいして、視認容易とすることができる。また、発光している端面が遊技盤面側に向かっていることとなり、発光部５２からの光を、遊技盤面や特別入賞口６ｄに容易に到達させることができる。
【００２４】
さらに、発光部５２に凹部又は凸部を設け、この凹部又は凸部を、所望の形状を形成することによって装飾部５２２が構成される。図２又は図５に示されている例では、凹部によって装飾部５２２が形成されている。この凹部（又は凸部）の縁部は端面となっており、端面部分が他の面よりも明るいため、輪郭部分が強調され、装飾形状を明瞭に表現することができる。  
この他、発光部５２の材料内に拡散剤を含ませることにより、発光部５２の前面及び背面から外側にもれる光の量を増加させることもできる。
【００２５】
以上のように構成された装飾ユニット５の発光部５２と特別入賞口６ｄとの間には、遊技球が通過し得る通過空間５６が形成される。以上説明した装飾ユニット５によれば、通過空間５６の正面側に位置するガラス枠７０のガラス板と遊技領域６との間の極めて狭い空間に、発光部５２を配置することができ、発光による装飾部材を配置できる領域を広げることができる。  
図７は、他の構成例を示す支持部５１０ｂの平面断面図である。支持部５１０ｂは、被覆材５３ｂと、対向面側の５３２ｂとによって構成され、内部は中空に構成されている。中空とすることにより、光源の熱の拡散を促進し、部材の温度上を抑制することができる。
【００２６】
次に、本遊技機における遊技制御を行う遊技制御手段について説明する。  
図８において、遊技制御手段２００は、遊技の進行や演出等を含む弾球遊技機１００全体を統括制御する手段である。遊技制御手段２００は、演算等を行うＣＰＵと、遊技の進行等に必要なプログラムや演出用のデータ等を記憶しておくＲＯＭと、ＣＰＵが各種の制御を行うときに、取り込んだデータ等を一時的に記憶しておくＲＡＭ等とを備える。遊技制御手段２００は、遊技盤３の背面側に設けられた制御基板上に設けられている。ここで、遊技制御手段２００は、１つの制御基板上に限らず、複数の制御基板上にわたって設けられていても良い。遊技制御手段２００は、本実施形態では、以下の各手段を備える。
【００２７】
（入賞球検出手段）
入賞球検出手段２１は、始動入賞口６ｃ及び特別入賞口６ｄに遊技球が入賞したときに、その入賞を検出するものである。これらの始動入賞口６ｃ及び特別入賞口６ｄには、それぞれ始動入賞口センサ６ｃｓ及び特別入賞口センサ６ｄｓが設けられ、それぞれ入賞球検出手段２１に電気的に接続されている。  
(抽選手段)
抽選手段２２は、入賞球検出手段２１により、始動入賞口６ｃへの遊技球の入賞が検出されたことを条件として、可変表示手段である図柄変動表示装置６ｊに表示する停止図柄に関する抽選を行うものであり、本実施形態では、▲１▼当選／非当選の有無、▲２▼図柄変動表示装置６ｊの図柄の変動表示後の停止図柄、及び▲３▼図柄の変動表示中の変動パターンの抽選を行う。抽選手段２２は、これらの▲１▼〜▲３▼の抽選を行うべく、当たり抽選手段２２ａと、停止図柄抽選手段２２ｂと、変動パターン抽選手段２２ｃとを備える。
【００２８】
（当たり抽選手段）
当たり抽選手段２２ａは、本実施形態では、当たり判定用乱数発生手段と、当たり判定用乱数取得手段と、当たり判定手段とを備える。  
当たり判定用乱数発生手段は、制御プログラム等によって所定の周期（例えば、１６ビット乱数による０〜６５５３５の周期）を有する当たり判定用乱数を発生させる。当たり判定用乱数取得手段は、当たり判定用乱数発生手段によって発生した当たり判定用乱数のうち１の当たり判定用乱数を、所定の時、本実施形態では始動入賞口センサ６ｃｓから送信された検出信号を入賞球検出手段２１が受信した時に取得する。  
当たり判定手段は、当たり判定用乱数取得手段により取得された当たり判定用乱数に基づいて、当選であるか非当選であるかを判定する。  
当選と判定された場合には、後述する演出画像制御手段２７にコマンドを送る。
【００２９】
（停止図柄抽選手段）
停止図柄抽選手段２２ｂは、当たり抽選手段２２ａの当たり判定手段の判定結果に基づいていて、図柄変動表示装置６ｊに停止表示すべき停止図柄を抽選するものである。  
(変動パターン抽選手段)
変動パターン抽選手段２２ｃは、図柄変動表示装置６ｊに表示すべき図柄の変動パターンを抽選するものである。  
当たり抽選手段２２ａの当たり判定手段での判定手段での判定結果に基づいて、複数種類の図柄の変動パターンを記憶したデータテーブルを参照して、いずれか１つの変動パターンを選択する。
【００３０】
(図柄表示制御手段)
図柄表示制御手段２３は、始動入賞口６ｃへの遊技球の入賞により、入賞球検出手段２１が検出信号を受信したことを条件として、図柄変動表示装置６ｊの図柄の変動表示及び停止表示を行うように制御するものである。  
（特別遊技制御手段）
特別遊技制御手段２４は、当たり抽選手段２２ａの当たり判定用乱数取得手段により取得された当たり判定用乱数が当選図柄変動表示装置６ｊにより停止表示された図柄が当選図柄(例えば「７７７」)となった場合に、特別遊技に移行させ、その終了条件を満たすまで特別遊技を実行するものである。ここで「特別遊技」とは、通常遊技以上に遊技球が入賞しやすい状態が作り出され、具体的には、特別入賞口６ｄが開放され、遊技球を受け入れ易い状態になることで、それまで以上に賞球の獲得が期待できる遊技である。特別入賞口６ｄを開放する際には、装飾ユニット５の装飾パターンを通常遊技状態のパターンから変更するように構成することもできる。例えば、光源の発色を変更し、あるいは点滅の間隔を変動させるなどである。
【００３１】
（球搬出制御手段）
球搬出制御手段２５は、賞球の払出し等を行うための球搬出装置２５ｄの駆動を制御するものである。上述したように、始動入賞口センサ５７及び特別入賞口センサ６ｄｓからの検出信号を入賞球検出手段２１が受信したときに、その入賞に対応する数の賞球を払い出すように、球搬出装置２５ｄを制御する。球搬出装置２５ｄは、駆動されると、球を弾球遊技機１の皿７０１ａに払い出す。  
（普通図柄制御手段）
普通図柄制御手段２６は、上述した普通図柄変動表示装置２６４ｄの変動表示及び停止表示を制御するためのものであり、以下の各手段を備える。
【００３２】
（入球検出手段）
入球検出手段２６２は、有効となっている普通図柄始動口６ｉを遊技球が通過したときに、それを検出するものである。  
普通図柄始動口６ｉを遊技球が通過すると、普通図柄始動口センサ６ｉｓから、そのときの検出信号が入球検出手段２６２に送信される。この検出信号を受信したときに、入球検出手段２６２は、普通図柄始動口６ｉを遊技球が通過したことを検出する。  
（普通図柄抽選手段）
普通図柄抽選手段２６３は、有効となっている普通図柄始動口６ｉを遊技球が通過したことを条件として、普通図柄変動表示装置２６４ｄに停止表示すべき図柄を抽選によって決定するものである。  
普通図柄抽選手段２６３は、上述した当たり抽選手段２２ａと同様に、当たり判定用乱数発生手段と当たり判定用乱数値取得手段と、当たり判定手段とを備える。
【００３３】
（普通図柄変動制御手段）
普通図柄変動制御手段２６４は、普通図柄変動口６ｉを遊技球が通過したときに、普通図柄抽選手段２６３の抽選結果に基づいて、普通図柄変動表示装置２６４ｄの図柄の変動表示及び停止表示を行うように制御するものである。  
普通図柄変動制御手段２６４は、普通図柄変動表示装置２６４ｄの図柄を所定時間変化させ後、最終的には普通図柄抽選手段２６３によって決定された図柄を普通図柄変動表示装置２６４ｄに停止表示させる。
【００３４】
（球誘導装置制御手段）
球誘導装置制御手段２６５は、普通図柄抽選手段２６３の抽選結果に基づいて、球誘導装置２６５ｄの作動を制御するものである。具体的には、普通図柄抽選手段２６３による抽選で当選したときは、球誘導装置２６５ｄを作動させるように制御する。これと逆に、普通図柄抽選手段２６３による抽選で非当選であったときは、球誘導装置２６５を作動させない。
【００３５】
（演出画像制御手段）
演出画像制御手段２７は、図柄変動表示装置６ｊに表示される演出画像を制御する。  
演出画像制御手段２７は、当たり抽選手段２２ａにより、当選の旨のコマンドを受け取った場合には、図柄変動表示装置６ｊに表示される演出画像を選択し、これを表示する。  
選択された演出画像に応じて、装飾ユニット５の発光パターンを変更してもよく、演出画像に応じた発色を選択する構成とすることができる。例えば、演出画像が青系統の色で統一されている場合には、発光部５２の発色も同系統の青色に変更するなどである。
【図面の簡単な説明】
【００３６】
【図１】本発明の装飾ユニットを有する弾球遊技機の全体正面図である。
【図２】本発明の装飾ユニットの全体斜視図である。
【図３】本発明の装飾ユニットの全体平面図である。
【図４】本発明の装飾ユニットの全体正面図である。
【図５】本発明の装飾ユニットの分解斜視図である。
【図６】支持部の断面平面図である。
【図７】他の構成例を示す、支持部の断面平面図である。
【図８】遊技制御手段の構成を示すブロック図である。
【符号の説明】
【００３７】
１００  弾球遊技機
１  外枠
１２  施錠装置
２  前枠
３  遊技盤
３Ａ、３Ｂ  ヒンジ金具
５  装飾ユニット
５１  支持部
５２  発色部
５３  被覆材
５４  発光ダイオード
５６  通過空間
６  遊技領域
６ａ  表示部
６ｃ  始動入賞口
６ｄ  特別入賞口
７０  ガラス枠
【図１】
2008229147.tif 000003
【図２】
2008229147.tif 000004
【図３】
2008229147.tif 000005
【図４】
2008229147.tif 000006
【図５】
2008229147.tif 000007
【図６】
2008229147.tif 000008
【図７】
2008229147.tif 000009
【図８】
2008229147.tif 000010